(57)【要約】【課題】専用の工具が無くてもアジャスタを調整可能に手段し、また、作業時に外れることが無く作業性がよく弾性体を有する材料のために接地面を傷つけない機器用アジャスタを提供すること。【解決手段】機器の設置時に機器の水平および高さの調整を行う機器用アジャスタにおいて、接地用受け板１と、機器への取り付け用のボルトねじ２と、このボルトねじの高さを調整する調整ノブ３とを備え、前記接地用受け板１と前記調整ノブ３および前記ボルトねじ２を着脱可能に配置した。【選択図】　　　　図１
2004079688.tif 000002
【特許請求の範囲】
【請求項１】
機器の設置時に機器の水平および高さの調整を行う機器用アジャスタにおいて、接地用受け板と、機器への取り付け用のボルトねじと、このボルトねじの高さを調整する調整ノブとを備え、前記接地用受け板と前記調整ノブおよび前記ボルトねじを着脱可能に配置したことを特徴とする機器用アジャスタ。
【請求項２】
前記接地用受け板が機器の荷重印加によって弾性変形する環状部と内側に凸形状部を設けた凹形環状部を有し、前記調整ノブが前記接地用受け板への取り付け用溝を有することを特徴とする請求項１記載の機器用アジャスタ。
【請求項３】
前記接地用受け板が塑性域を有する材料からなり、前記調整ノブが弾性域を有する材料からなることを特徴とする請求項１記載の機器用アジャスタ。
【請求項４】
前記接地用受け板が、その外周面に、前記調整ノブの前記取り付け用溝に嵌り込む確認突起を有することを特徴とする請求項２記載の機器用アジャスタ。
【発明の詳細な説明】
【０００１】
【発明の属する技術分野】
本発明は、機器の設置時に機器の水平および高さ調整・固定を行うための機器用アジャスタに関する。
【０００２】
【従来の技術】
複写機等の機器の設置には品質の確保から、機器の水平および高さの調整と固定のために複数個のアジャスタが機器の底面に設けられている。図４はアジャスタを底面に備えた一般的な複写機の正面図である。
【０００３】
複写機等の機器２２はこの機器２２の底面と設置床面２５との間にキャスタ２６およびアジャスタ２１を配置している。このアジャスタ２１を図５に基づいて詳細に説明する。
【０００４】
図５は図４のアジャスタを拡大して示す斜視図である。アジャスタ２１は金属材料からなるボルトねじ部２３および金属材料または金属にゴム等の材料を巻いた円盤状の接地受け部２４からなっている。ボルトねじ部２３と接地受け部２４の間にはボルトヘッド２８がある。
【０００５】
接地受け部２４はクリアランス無しに固定されるか、クリアランスを有して動くこともできる。アジャスタ２１はボルトねじ部２３と接地受け部２４を一体化したもので、さらに、ボルトねじ部２３には機器２１内へねじ込むねじ山部２３ａを有している。
【０００６】
【発明が解決しようとする課題】
図６は図４の複写機に取り付けられているアジャスタの調整状態を示す拡大正面図である。図のように、アジャスタ２１はボルトねじ部２３を複写機２２の取り付け部２７にねじ込む。
【０００７】
このとき、スパナ２９等の工具がないと手ではモーメント力が不足して床面２５に当たった後の複写機２２を調整する力を得られない問題がある。また、調整時位置が最下部のため工具が外れやすく調整に時間がかかっている。
【０００８】
上記に加えて、ユーザー設置先において機器の調整のために工具等を持参することは機器の運搬後に工具を運搬しなければならないため、この煩わしい作業が改善されることが望まれていた。
【０００９】
そこで、本発明の目的は、上記の問題点を解決するために、専用の工具が無くてもアジャスタを調整可能にし、また、作業時に外れることが無いので作業性がよく、弾性体を有する材料のために接地面を傷つけない機器用アジャスタを提供することにある。
【００１０】
【課題を解決するための手段】
前記の課題を解決するために、請求項１記載の発明では、機器の設置時に機器の水平および高さの調整を行う機器用アジャスタにおいて、接地用受け板と、機器への取り付け用のボルトねじと、このボルトねじの高さを調整する調整ノブとを備え、前記接地用受け板と前記調整ノブおよび前記ボルトねじを着脱可能に配置した機器用アジャスタを最も主要な特徴とする。
【００１１】
請求項２記載の発明では、前記接地用受け板が機器の荷重印加によって弾性変形する環状部と内側に凸形状部を設けた凹形環状部を有し、前記調整ノブが前記接地用受け板への取り付け用溝を有する請求項１記載の機器用アジャスタを主要な特徴とする。
【００１２】
請求項３記載の発明では、前記接地用受け板が塑性域を有する材料からなり、前記調整ノブが弾性域を有する材料からなる請求項１記載の機器用アジャスタを主要な特徴とする。
【００１３】
請求項４記載の発明では、前記接地用受け板が、その外周面に、前記調整ノブの前記取り付け用溝に嵌り込む確認突起を有することを特徴とする請求項２記載の機器用アジャスタを主要な特徴とする。
【００１４】
【発明の実施の形態】
以下、図面により本発明の実施の形態を詳細に説明する。図１は本発明による機器用アジャスタの実施の形態を示す分解図である。図２は図１の機器用アジャスタの高さ調整中の状態を示す断面図である。図３は調整完了後のセット状態を示す断面図である。
【００１５】
図１ないし図３において、本実施の形態の機器用アジャスタは、それぞれ別体に形成された、ボルトねじ２と、接地用受け板１と、調整ノブ３とから構成されている。
【００１６】
接地用受け板１は鋼板、樹脂のごとき塑性域を有する材料で、そして調整ノブ３は鋼板、樹脂、ゴムのごときセット時確認突起（後述する）を越えて移動できる弾性域を有する材料で形成される。
【００１７】
ボルトねじ２は、ボルト部８から突き出ているねじ部９の下端１０を接地用受け板１の中央に形成した突起（凸形状部）５を備えた凹形環状穴６に合わせて、調整ノブ３の穴１１にボルト部８を合わせた状態として使用するものである。
【００１８】
接地用受け板１は金属・モールト゛等を成形加工により成形したもので、断面がスカート状の広がりを有する環状部４を備え、端面１２が接地面になり、この環状部４の外側に立ち上がり部１３をリング状に備えた形状を有している。
【００１９】
この接地用受け板１は、また、外周面１ａに、調整ノブ３がボルト部２を回転し、セット状態を完了して機器の高さおよび水平の調整が完了したとき設定完了を指示するための確認突起１４を有している。
【００２０】
この接地用受け板１の接地面１２との反対面に凸形状部５を有する凹形状穴（凹形環状部）６を有し、この凹形状穴６内でボルト部８が回転できる。
【００２１】
調整ノブ３にはボルト部８が入る穴１１が設けてあり、高さ・水平の調整の状態において嵌合部１６で手、工具等によって回転する調整ノブ本体部分１５の外周を回転して高さ・水平の調整を行うとき、接地用受け板１と調整ノブ３の間には調整位置を指示する位置１７を有する。
【００２２】
調整ノブ３は接地用受け板１の外周部にクリアランスをもって調整ノブ本体部分１５と接しているので調整ノブ３の調整を可能とする。調整ノブ３は前記接地用受け板１への取り付け用溝７を有しており、弾性変形部分、すなわち、環状部４の広がりによって接地用受け板１へセット可能になっている。
【００２３】
凹形環状部６は、調整時に点当たり１８するようにして機器と設置面が水平でないとき荷重中心がいつもアジャスタの中心にくるように設定するために設けてある。凹形環状部６はボルト部８が容易に回転できるようなクリアランスを有している凹穴形状部である。
【００２４】
図３の調整完了状態は水平および高さ調整を完了した図２の状態から調整ノブ３を工具、手等で図３の符号１９の状態まで押し下げることによって完了となり、ボルトねじ２と接地用受け板１が拘束され、それによって機器を所定位置に設定・固定することができる。このとき調整ノブ３の取り付け用溝７と確認突起１４とが符号２０で示すごとく嵌合する。
【００２５】
【発明の効果】
以上説明したように、請求項１によれば、接地用受け板と機器への取り付けボルトねじと水平および高さ調整の調整ノブからなるアジャスタを接地用受け板とボルトねじと調整ノブが着脱可能であるように構成している。したがって機器の水平および高さ調整において工具を必要とせず、ボルトねじと接地用受け板が外れることなく水平および高さ調整が行え、運搬前の組み込みや設置時の組み込みが可能となり運搬状況に合わせた設定が可能となる。
【００２６】
請求項２によれば、弾性変形する接地面を有するので接地面がずれないので傷つきが少なく、また、調整ノブはセット時惰性変形するので工具無しでも位置をセットでき外れることが少ない。
【００２７】
請求項３によれば、接地用受け板が鋼板、樹脂のごとき塑性域を有する材料で、調整ノブが鋼板、樹脂、ゴムのごときセット時確認突起を越えて移動できる弾性域をする材料で形成されるので、接地面が受ける面は弾性体を有するので接地面がずれず傷つきが少ない。
【００２８】
請求項４によれば、接地用受け板が、その外周面に、調整ノブの取り付け用溝に嵌り込む確認突起を有するので、調整時ノブが外れることが無く、作業性がよく、また、セット後は容易に外れない。
【図面の簡単な説明】
【図１】本発明による機器用アジャスタの実施の形態を示す分解図である。
【図２】図１の機器用アジャスタの高さ調整中の状態を示す断面図である。
【図３】調整完了後のセット状態を示す断面図である。
【図４】アジャスタを底面に備えた一般的な複写機の正面図である。
【図５】図４のアジャスタを拡大して示す斜視図である。
【図６】図４の複写機に取り付けられているアジャスタの調整状態を示す拡大正面図である。
【符号の説明】
１　接地用受け板
１ａ　外周面
２　ボルトねじ
３　調整ノブ
４　環状部
５　凸形状部
６　凹形環状部
７　取り付け用溝
１４　確認突起
【図１】
2004079688.tif 000003
【図２】
2004079688.tif 000004
【図３】
2004079688.tif 000005
【図４】
2004079688.tif 000006
【図５】
2004079688.tif 000007
【図６】
2004079688.tif 000008